(57)【要約】【課題】局発光に要する消費電力を抑制できる受信装置等を提供する。【解決手段】受信装置は、光源と、合波部と、変換部と、復調部と、訂正部と、制御部とを有する。光源は、局発光を出力する。合波部は、受信信号に前記局発光を干渉させて光信号を取得する。変換部は、前記光信号を電気信号に変換する。復調部は、前記電気信号を復調して復調信号を取得する。訂正部は、前記復調信号を誤り訂正する。第１のモニタ部は、前記訂正部から信号訂正量および／またはエラーレートを取得する。制御部は、前記信号訂正量および／またはエラーレートに基づき、前記局発光の出力強度を調整すべく、前記光源を制御する。【選択図】図２
2018006836.tif 000002
【特許請求の範囲】
【請求項１】
局発光を出力する光源と、
受信信号に前記局発光を干渉させて光信号を取得する合波部と、
前記光信号を電気信号に変換する変換部と、
前記電気信号を復調して復調信号を取得する復調部と、
前記復調信号を誤り訂正する訂正部と、
前記訂正部から信号訂正量および／またはエラーレートを取得する第１のモニタ部と、
前記信号訂正量および／またはエラーレートに基づき、前記局発光の出力強度を調整すべく、前記光源を制御する制御部と
を有することを特徴とする受信装置。
【請求項２】
前記制御部は、
前記信号訂正量および／またはエラーレートが所定閾値未満の場合に前記局発光の出力強度を減らすべく、前記光源を制御することを特徴とする請求項１に記載の受信装置。
【請求項３】
前記変換部から前記電気信号の信号振幅値を取得する第２のモニタ部を有し、
前記制御部は、
前記電気信号の信号振幅値に基づき、前記局発光の出力強度を調整すべく、前記光源を制御することを特徴とする請求項１又は２に記載の受信装置。
【請求項４】
前記復調部から前記復調信号の信号振幅値を取得する第３のモニタ部を有し、
前記制御部は、
前記復調信号の信号振幅値に基づき、前記局発光の出力強度を調整すべく、前記光源を制御することを特徴とする請求項１〜３の何れか一つに記載の受信装置。
【請求項５】
前記受信信号の出力強度を取得する第４のモニタ部を有し、
前記制御部は、
前記受信信号の出力強度と前記局発光の出力強度との積算値に基づき、前記局発光の出力強度を調整すべく、前記光源を制御することを特徴とする請求項１〜４の何れか一つに記載の受信装置。
【請求項６】
前記変換部から前記電気信号の信号振幅値を取得する第２のモニタ部を有し、
前記制御部は、
前記電気信号の信号振幅値に基づき、前記局発光の出力強度を予測し、その予測結果及び前記信号訂正量および／またはエラーレートに基づき、前記局発光の出力強度を調整すべく、前記光源を制御することを特徴とする請求項１又は２に記載の受信装置。
【請求項７】
前記復調部から前記復調信号の信号振幅値を取得する第３のモニタ部を有し、
前記制御部は、
前記復調信号の信号振幅値に基づき、前記局発光の出力強度を予測し、その予測結果及び前記信号訂正量および／またはエラーレートに基づき、前記局発光の出力強度を調整すべく、前記光源を制御することを特徴とする請求項１又は２に記載の受信装置。
【請求項８】
前記受信信号の出力強度を取得する第４のモニタ部を有し、
前記制御部は、
前記受信信号の出力強度と前記局発光の出力強度との積算値に基づき、前記局発光の出力強度を予測し、その予測結果及び前記信号訂正量および／またはエラーレートに基づき、前記局発光の出力強度を調整すべく、前記光源を制御することを特徴とする請求項１又は２に記載の受信装置。
【請求項９】
受信装置が、
受信信号に局発光を干渉させて光信号を取得し、
前記光信号を電気信号に変換し、
前記電気信号を復調して復調信号を取得し、
前記復調信号を誤り訂正し、
前記誤り訂正時の信号訂正量および／またはエラーレートを取得し、
前記信号訂正量および／またはエラーレートに基づき、前記局発光の出力強度を調整する
処理を実行することを特徴とする局発光制御方法。
【発明の詳細な説明】
【技術分野】
【０００１】
本発明は、受信装置及び局発光制御方法に関する。
【背景技術】
【０００２】
近年、４０Ｇｂｐｓや１００Ｇｂｐｓの光伝送システムでは、例えば、ＤＰ−ＱＰＳＫ（Dual  Polarization-Quadrature  Phase  Shift  Keying）変調方式を用いたデジタルコヒーレントの受信装置が知られている。
【０００３】
受信装置は、受信した受信信号に局発光を干渉させて光主信号を取得し、取得した光主信号に対してデジタル信号処理を実行する。受信装置は、デジタル信号処理を実行する際、ＡＤＣの分解能に応じて光主信号の性能条件を満たす利得が得られるように光主信号のパワーを調整する。また、受信装置では、コヒーレント受信に使用する局発光の出力パワーを一定すべく、装置環境や伝送路上のスパンロス等を考慮して設計している。
【先行技術文献】
【特許文献】
【０００４】
【特許文献１】特開２０１０−２４５７７２号公報
【特許文献２】特開２０１４−１２３９０５号公報
【特許文献３】特開２０１４−１６８１７６号公報
【発明の概要】
【発明が解決しようとする課題】
【０００５】
受信装置では、例えば、伝送路上のスパンロスが小さい場合、光主信号のパワーだけで復調できるため、局発光の出力パワーを下げても通信可能な場合がある。
【０００６】
しかしながら、受信装置では、局発光の出力パワーを下げて通信できる場合でも、局発光の出力パワーを一定に出力しているため、局発光の出力パワーが過剰になり、局発光に要する消費電力が無駄になる。
【０００７】
一つの側面では、局発光に要する消費電力を抑制できる受信装置及び局発光制御方法を提供することを目的とする。
【課題を解決するための手段】
【０００８】
一つの案では、受信装置が、光源と、合波部と、変換部と、復調部と、訂正部と、制御部とを有する。光源は、局発光を出力する。合波部は、受信信号に前記局発光を干渉させて光信号を取得する。変換部は、前記光信号を電気信号に変換する。復調部は、前記電気信号を復調して復調信号を取得する。訂正部は、前記復調信号を誤り訂正する。第１のモニタ部は、前記訂正部からの信号訂正量および／またはエラーレートを取得する。制御部は、前記信号訂正量および／またはエラーレートに基づき、前記局発光の出力強度を調整すべく、前記光源を制御する。
【発明の効果】
【０００９】
開示の態様では、局発光に要する消費電力を抑制できる。
【図面の簡単な説明】
【００１０】
【図１】図１は、本実施例の受信装置のハードウェア構成の一例を示すブロック図である。
【図２】図２は、実施例１の受信装置の機能構成の一例を示すブロック図である。
【図３】図３は、局発光の出力パワー変動に関わる訂正ビット数と光主信号の受信パワーとの対応関係の一例を示す説明図である。
【図４】図４は、第１の局発光制御処理に関わる受信装置内のコントローラの処理動作の一例を示すフローチャートである。
【図５】図５は、実施例２の受信装置の機能構成の一例を示すブロック図である。
【図６】図６は、第２の局発光制御処理に関わる受信装置内のコントローラの処理動作の一例を示すフローチャートである。
【図７】図７は、実施例３の受信装置の機能構成の一例を示すブロック図である。
【図８】図８は、第３の局発光制御処理に関わる受信装置内のコントローラの処理動作の一例を示すフローチャートである。
【図９】図９は、実施例４の受信装置の機能構成の一例を示すブロック図である。
【図１０】図１０は、第４の局発光制御処理に関わる受信装置内のコントローラの処理動作の一例を示すフローチャートである。
【図１１】図１１は、実施例５の受信装置の機能構成の一例を示すブロック図である。
【図１２】図１２は、第５の局発光制御処理に関わる受信装置内のコントローラの処理動作の一例を示すフローチャートである。
【図１３】図１３は、第５の局発光制御処理に関わる受信装置内のコントローラの処理動作の一例を示すフローチャートである。
【発明を実施するための形態】
【００１１】
以下、図面に基づいて、本願の開示する受信装置及び局発光制御方法の実施例を詳細に説明する。尚、本実施例により、開示技術が限定されるものではない。また、以下に示す各実施例は、矛盾を起こさない範囲で適宜組み合わせても良い。
【実施例１】
【００１２】
図１は、本実施例の受信装置１のハードウェア構成の一例を示すブロック図、図２は、実施例１の受信装置１の機能構成の一例を示す説明図である。図１に示す受信装置１は、例えば、デジタルコヒーレント方式の光受信装置である。受信装置１は、局発光源２と、光ハイブリッド回路３と、ＯＥ（Optical/Electrical  converter）４と、ＡＤＣ（Analog/Digital  Converter）５と、ＤＳＰ(Digital  Signal  Processor)６とを有する。受信装置１は、ＦＰＧＡ（Field  Programmable  Gate  Array）７と、ＩＣ（Integrated  Circuit）８とを有する。尚、局発光源２、光ハイブリッド回路３、ＯＥ４、ＡＤＣ５及びＤＳＰ６を、例えば、モジュールで構成する。局発光源２は、例えば、局発光を発光する図示せぬ光源であるレーザと、レーザを駆動制御する駆動回路２１とを有する。
【００１３】
光ハイブリッド回路３は、合波部３１を有する。合波部３１は、受信信号に局発光を干渉させて光主信号を取得する。例えば、合波部３１は、局発光の位相を遅延させることなく、そのまま受信した受信信号と局発光とを混合してＸ偏波及びＹ偏波のＩ成分の光主信号を得る。また、合波部３１は、局発光の位相を遅延させ、受信した受信信号と局発光とを混合してＸ偏波及びＹ偏波のＱ成分の光主信号を得る。
【００１４】
ＯＥ４は、Ｘ偏波及びＹ偏波のＩ成分の光主信号を電気変換して利得調整すると共に、Ｘ偏波及びＹ偏波のＱ成分の光主信号を電気変換して利得調整する。ＯＥ４は、例えば、ＯＥ変換部４１と、利得制御部４２とを有する。ＯＥ変換部４１は、光ハイブリッド回路３からのＸ偏波及びＹ偏波のＩ成分の光主信号を電気変換すると共に、光ハイブリッド回路３からのＸ偏波及びＹ偏波のＱ成分の光主信号を電気変換する変換部である。利得制御部４２は、ＯＥ変換部４１で電気変換されたＸ偏波及びＹ偏波のＩ成分の電気信号及びＸ偏波及びＹ偏波のＱ成分の電気信号を利得調整する。
【００１５】
ＡＤＣ５は、利得調整したＩ成分の電気信号及びＱ成分の電気信号をデジタル変換する。ＤＳＰ６は、デジタル変換されたＩ成分の電気信号及びＱ成分の電気信号に対してデジタル信号処理を施し、Ｉ成分の電気信号及びＱ成分の電気信号を復調信号に復調する復調部である。ＦＰＧＡ７は、例えば、ＦＥＣ（Forward  Error  Correction）７１を有する。ＦＥＣ７１は、復調信号に対してＦＥＣ処理を実行する訂正部である。ＩＣ８は、受信装置１全体を制御する。ＩＣ８は、第１のモニタ部８１と、コントローラ８２とを有する。第１のモニタ部８１は、ＦＥＣ７１から復調信号の訂正ビット数および/またはエラーレートを取得する。コントローラ８２は、ＩＣ８全体を制御する。
【００１６】
図３は、局発光の出力パワー変動に関わる訂正ビット数と光主信号の受信パワーとの対応関係の一例を示す説明図である。第１の閾値α１は、光主信号の信号品質が安定した信号品質を確保できる許容範囲の上限に相当する訂正ビット数および/またはエラーレートである。第２の閾値α２は、光主信号の信号品質が安定した信号品質を確保できる許容範囲の下限に相当する訂正ビット数および/またはエラーレートである。第１の閾値α１と第２の閾値α２との間の許容範囲内の訂正ビット数および/またはエラーレートでは、局発光の出力パワーを調整せず、信号品質マージン内の光主信号の出力パワーを確保している。尚、訂正ビット数および/またはエラーレートは、光主信号の信号品質が劣化するに連れて増加する。
【００１７】
これに対して、訂正ビット数および/またはエラーレートが第１の閾値α１を超えている場合、光主信号の信号品質が信号品質マージンの下限を下回っているため、局発光の出力パワーを増やして光主信号の出力パワーを信号品質マージン内に収まるように調整することになる。訂正ビット数および/またはエラーレートが第２の閾値α２未満の場合、光主信号の信号品質が信号品質マージンの上限を上回っているため、信号品質が十分に確保されているものと判断する。そして、局発光の出力パワーを減らして光主信号の出力パワーを信号品質マージン内に収まるように調整する。
【００１８】
第１のモニタ部８１は、ＦＥＣ７１を通じて復調後の復調信号に対する訂正ビット数および/またはエラーレートを取得する。コントローラ８２は、光主信号を受信した場合に、光主信号の訂正ビット数および/またはエラーレートを第１のモニタ部８１から取得し、取得した訂正ビット数および/またはエラーレートが第１の閾値α１を超えている場合に局発光の出力パワーを増やすべく、局発光源２内の駆動回路２１を制御する。コントローラ８２は、取得した訂正ビット数および/またはエラーレートが第２の閾値α２未満の場合に局発光の出力パワーを減らすべく、局発光源２内の駆動回路２１を制御する。
【００１９】
次に実施例１の受信装置１の動作について説明する。図４は、第１の局発光制御処理に関わる受信装置１内のコントローラ８２の処理動作の一例を示すフローチャートである。
【００２０】
コントローラ８２は、光主信号を受信したか否かを判定する（ステップＳ１１）。コントローラ８２は、光主信号を受信した場合（ステップＳ１１肯定）、局発光の出力パワーを初期値に設定すべく、局発光源２内の駆動回路２１を制御する（ステップＳ１２）。
【００２１】
コントローラ８２は、ＦＥＣ７１の訂正ビット数および/またはエラーレートをクリアにし（ステップＳ１３）、第１のモニタ部８１を通じてＦＥＣ７１から訂正ビット数および/またはエラーレートを取得する（ステップＳ１４）。コントローラ８２は、ＦＥＣ７１から訂正不可エラーを検出したか否かを判定する（ステップＳ１５）。コントローラ８２は、訂正不可エラーを検出した場合（ステップＳ１５肯定）、図４に示す処理動作を終了する。
【００２２】
コントローラ８２は、訂正不可エラーを検出しなかった場合（ステップＳ１５否定）、ステップＳ１４で取得した訂正ビット数および/またはエラーレートが第１の閾値α１を超えているか否かを判定する（ステップＳ１６）。コントローラ８２は、訂正ビット数および/またはエラーレートが第１の閾値α１を超えている場合（ステップＳ１６肯定）、局発光の出力パワーが最大であるか否かを判定する（ステップＳ１７）。
【００２３】
コントローラ８２は、局発光の出力パワーが最大でない場合（ステップＳ１７否定）、局発光の出力パワーを増やすべく、局発光源２内の駆動回路２１を制御する（ステップＳ１８）。つまり、局発光の出力パワーを増やすことで、光主信号の出力パワーが信号品質マージン内に収まることになる。その結果、光主信号の信号品質を改善できる。そして、コントローラ８２は、局発光源２内の駆動回路２１を制御後に、ＦＥＣ７１から訂正不可エラーを検出したか否かを判定する（ステップＳ１９）。
【００２４】
コントローラ８２は、訂正不可エラーを検出した場合（ステップＳ１９肯定）、局発光の出力パワーを初期値に設定すべく、局発光源２内の駆動回路２１を制御し（ステップＳ２０）、図４に示す処理動作を終了する。コントローラ８２は、訂正不可エラーを検出しなかった場合（ステップＳ１９否定）、図４に示す処理動作を終了する。コントローラ８２は、局発光の出力パワーが最大の場合（ステップＳ１７肯定）、訂正不可エラーを検出したか否かを判定すべく、ステップＳ１９に移行する。
【００２５】
コントローラ８２は、訂正ビット数および/またはエラーレートが第１の閾値α１を超えていない場合（ステップＳ１６否定）、訂正ビット数および/またはエラーレートが第２の閾値α２未満であるか否かを判定する（ステップＳ２１）。コントローラ８２は、訂正ビット数および/またはエラーレートが第２の閾値α２未満である場合（ステップＳ２１肯定）、局発光の出力パワーが最小であるか否かを判定する（ステップＳ２２）。
【００２６】
コントローラ８２は、局発光の出力パワーが最小でない場合（ステップＳ２２否定）、局発光の出力パワーを減らすべく、局発光源２内の駆動回路２１を制御する（ステップＳ２３）。つまり、局発光の出力パワーを減らすことで、光主信号の出力パワーが信号品質マージン内に収まることになる。その結果、安定した光主信号の信号品質を確保しながら、局発光に要する無駄な消費電力を抑制できる。そして、コントローラ８２は、局発光源２の駆動回路２１を制御後に、訂正不可エラーを検出したか否かを判定すべく、ステップＳ１９に移行する。
【００２７】
コントローラ８２は、局発光の出力パワーが最小の場合（ステップＳ２２肯定）、訂正不可エラーを検出したか否かを判定すべく、ステップＳ１９に移行する。コントローラ８２は、訂正ビット数および/またはエラーレートが第２の閾値α２未満でない場合（ステップＳ２１否定）、図４に示す処理動作を終了する。また、コントローラ８２は、光主信号を受信しなかった場合（ステップＳ１１否定）、図４に示す処理動作を終了する。
【００２８】
図４に示す第１の局発光制御処理を実行するコントローラ８２は、訂正ビット数および/またはエラーレートが第１の閾値α１を超え、かつ、局発光の出力パワーが最大でない場合、局発光の出力パワーを増やす。その結果、光主信号の出力パワーを信号品質マージン内に収めることで、安定した光主信号の信号品質を確保できる。
【００２９】
コントローラ８２は、訂正ビット数および/またはエラーレートが第２の閾値α２未満、かつ、局発光の出力パワーが最小でない場合、局発光の出力パワーを減らす。その結果、光主信号の出力パワーを信号品質マージン内に収めることで、安定した光主信号の信号品質を確保しながら、局発光に要する無駄な消費電力を抑制できる。
【００３０】
実施例１の受信装置１では、第１のモニタ部８１で取得した訂正ビット数および/またはエラーレートに基づき、局発光の出力パワーを調整すべく、駆動回路２１を制御する。例えば、受信装置１は、訂正ビット数および/またはエラーレートが第２の閾値α２未満の場合、局発光の出力パワーを減らすべく、駆動回路２１を制御する。その結果、安定した光主信号の信号品質を確保しながら、局発光に要する無駄な消費電力を抑制できる。
【００３１】
特に、受信装置１は、一度、運用状態に入ると、例えば、３６５日、２４時間連続して稼働することになるため、その局発光に要する無駄な消費電力を抑制した場合には、その消費電力の効果は大である。
【００３２】
尚、上記実施例１の受信装置１は、訂正ビット数および/またはエラーレートに基づき、局発光の出力パワーを制御したが、訂正ビット数および/またはエラーレートに限定されるものではなく、例えば、デジタル変換前の合波信号の信号振幅値を用いても良い。この場合の実施の形態につき、実施例２として以下に説明する。図５は、実施例２の受信装置１Ａの機能構成の一例を示す説明図である。尚、実施例１の受信装置１と同一の構成には同一符号を付すことで、その重複する構成及び動作の説明については省略する。
【実施例２】
【００３３】
図５に示す受信装置１Ａと受信装置１とが異なるところは、第１のモニタ部８１の代わりに、デジタル変換前の合波信号の信号振幅値を取得する第２のモニタ部８３を内蔵し、第２のモニタ部８３のモニタ結果に基づき、局発光の出力パワーを調整する点にある。
【００３４】
受信装置１Ａ内の利得制御部４２は、合波部３１で取得した光主信号である合波信号の振幅利得をＡＤＣ５の分解能に応じて調整する。この際、例えば、受信装置１Ａと接続する伝送路のスパンロスが小さい場合は、光主信号の出力パワーだけで復調できるため、局発光の出力パワーを下げても通信可能な場合がある。第２のモニタ部８３は、利得制御部４２から合波信号の電気信号の信号振幅値を取得する。
【００３５】
コントローラ８２Ａは、デジタル変換前の合波信号の信号振幅値が第１の振幅閾値未満、かつ、局発光の出力パワーが最大でない場合、局発光の出力パワーを増加する方向に調整する。尚、第１の振幅閾値は、光主信号が安定した信号品質を確保できる許容範囲の下限の信号振幅値である。
【００３６】
コントローラ８２Ａは、デジタル変換前の合波信号の信号振幅値が第２の振幅閾値を超え、かつ、局発光の出力パワーが最小でない場合、局発光の出力パワーを減少する方向に調整する。尚、第２の振幅閾値は、光主信号が安定した信号品質を確保できる許容範囲の上限の信号振幅値である。
【００３７】
次に実施例２の受信装置１Ａの動作について説明する。図６は、第２の局発光制御処理に関わる受信装置１Ａ内のコントローラ８２Ａの処理動作の一例を示すフローチャートである。
【００３８】
コントローラ８２Ａは、光主信号を受信したか否かを判定する（ステップＳ３１）。コントローラ８２Ａは、光主信号を受信した場合（ステップＳ３１肯定）、局発光の出力パワーを初期値に設定すべく、局発光源２の駆動回路２１を制御する（ステップＳ３２）。
【００３９】
コントローラ８２Ａは、第２のモニタ部８３を通じてデジタル変換前の合波信号の信号振幅値を取得する（ステップＳ３３）。コントローラ８２Ａは、ＦＥＣ７１から訂正不可エラーを検出したか否かを判定する（ステップＳ３４）。コントローラ８２Ａは、訂正不可エラーを検出した場合（ステップＳ３４肯定）、図６に示す処理動作を終了する。
【００４０】
コントローラ８２Ａは、訂正不可エラーを検出しなかった場合（ステップＳ３４否定）、デジタル変換前の合波信号の信号振幅値が第１の振幅閾値未満であるか否かを判定する（ステップＳ３５）。コントローラ８２Ａは、デジタル変換前の合波信号の信号振幅値が第１の振幅閾値未満の場合（ステップＳ３５肯定）、局発光の出力パワーが最大であるか否かを判定する（ステップＳ３６）。
【００４１】
コントローラ８２Ａは、局発光の出力パワーが最大でない場合（ステップＳ３６否定）、局発光の出力パワーを増やすべく、局発光源２内の駆動回路２１を制御する（ステップＳ３７）。つまり、局発光の出力パワーを増やすことで、光主信号の出力パワーが信号品質マージン内に収まることになる。その結果、安定した光主信号の信号品質を改善できる。そして、コントローラ８２Ａは、局発光源２内の駆動回路２１を制御後に、訂正不可エラーを検出したか否かを判定する（ステップＳ３８）。コントローラ８２Ａは、訂正不可エラーを検出した場合（ステップＳ３８肯定）、局発光の出力パワーを初期値に設定すべく、局発光源２内の駆動回路２１を制御し（ステップＳ３９）、図６に示す処理動作を終了する。コントローラ８２Ａは、訂正不可エラーを検出しなかった場合（ステップＳ３８否定）、図６に示す処理動作を終了する。コントローラ８２Ａは、局発光の出力パワーが最大の場合（ステップＳ３６肯定）、訂正不可エラーを検出したか否かを判定すべく、ステップＳ３８に移行する。
【００４２】
コントローラ８２Ａは、デジタル変換前の合波信号の信号振幅値が第１の振幅閾値未満でない場合（ステップＳ３５否定）、信号振幅値が第２の振幅閾値を超えているか否かを判定する（ステップＳ４０）。コントローラ８２Ａは、信号振幅値が第２の振幅閾値を超えている場合（ステップＳ４０肯定）、局発光の出力パワーが最小であるか否かを判定する（ステップＳ４１）。
【００４３】
コントローラ８２Ａは、局発光の出力パワーが最小でない場合（ステップＳ４１否定）、局発光の出力パワーを減らすべく、局発光源２内の駆動回路２１を制御する（ステップＳ４２）。つまり、局発光の出力パワーを減らすことで、光主信号の出力パワーが信号品質マージン内に収まることになる。その結果、安定した光主信号の信号品質を確保しながら、局発光に要する無駄な消費電力を抑制できる。そして、コントローラ８２Ａは、局発光源２内の駆動回路２１を制御後に、訂正不可エラーを検出したか否かを判定すべく、ステップＳ３８に移行する。
【００４４】
コントローラ８２Ａは、局発光の出力パワーが最小の場合（ステップＳ４１肯定）、訂正不可エラーを検出したか否かを判定すべく、ステップＳ３８に移行する。コントローラ８２Ａは、信号振幅値が第２の振幅閾値を超えていない場合（ステップＳ４０否定）、図６に示す処理動作を終了する。また、コントローラ８２Ａは、光主信号を受信しなかった場合（ステップＳ３１否定）、図６に示す処理動作を終了する。
【００４５】
図６に示す第２の局発光制御処理を実行するコントローラ８２Ａは、デジタル変換前の合波信号の信号振幅値が第１の振幅閾値未満、かつ、局発光の出力パワーが最大でない場合、局発光の出力パワーを増やす。その結果、光主信号の出力パワーを信号品質マージン内に収めることで、安定した光主信号の信号品質を確保できる。
【００４６】
コントローラ８２Ａは、デジタル変換前の合波信号の信号振幅値が第２の振幅閾値を超え、かつ、局発光の出力パワーが最小でない場合、局発光の出力パワーを減らす。その結果、光主信号の出力パワーを信号品質マージン内に収めることで、安定した光主信号の信号品質を確保しながら、局発光に要する無駄な消費電力を抑制できる。
【００４７】
実施例２の受信装置１Ａでは、第２のモニタ部８３で取得したデジタル変換前の合波信号の信号振幅値に基づき、局発光の出力パワーを調整すべく、駆動回路２１を制御する。例えば、受信装置１Ａは、デジタル変換前の合波信号の信号振幅値が第２の振幅閾値を超えた場合、局発光の出力パワーを減らすべく、駆動回路２１を制御する。その結果、安定した光主信号の信号品質を確保しながら、局発光に要する無駄な消費電力を抑制できる。更に、受信した光主信号の受信レベルによって、局発光の出力パワーを高精度に制御できる。
【００４８】
尚、上記実施例２の受信装置１Ａでは、デジタル変換前の合波信号の信号振幅値に基づき、局発光の出力パワーを制御した。しかしながら、受信装置１Ａは、実施例１の受信装置１に関わる訂正ビット数および/またはエラーレートに基づく局発光の出力パワーの制御を併用し、デジタル変換前の合波信号の信号振幅値に基づく局発光の出力パワーを制御するようにしても良い。つまり、デジタル変換前の合波信号の信号振幅値を用いて局発光の出力パワーを事前に調整するため、その後の訂正ビット数および/またはエラーレートを用いて局発光の出力パワーを調整する際の処理を速やかに実行できる。
【００４９】
また、受信装置１Ａは、訂正ビット数および/またはエラーレートに基づく局発光の出力パワーの制御を併用した場合、デジタル変換前の合波信号の信号振幅値から局発光の出力パワーを予測しても良い。この場合、受信装置１Ａは、その予測結果及び訂正ビット数および/またはエラーレートに基づき、局発光の出力パワーを調整すべく、駆動回路２１を制御する。その結果、訂正ビット数および/またはエラーレートを用いて局発光の出力パワーを調整する際の処理を速やかに実行できる。
【００５０】
尚、上記実施例１の受信装置１は、訂正ビット数および/またはエラーレートに基づき、局発光の出力パワーを制御したが、訂正ビット数および/またはエラーレートに限定されるものではなく、例えば、デジタル変換後の合波信号の信号振幅値を用いても良く。この場合の実施の形態につき、実施例３として以下に説明する。図７は、実施例３の受信装置１Ｂの機能構成の一例を示す説明図である。尚、実施例１の受信装置１と同一の構成には同一符号を付すことで、その重複する構成及び動作の説明については省略する。
【実施例３】
【００５１】
図７に示す受信装置１Ｂと受信装置１とが異なるところは、第１のモニタ部８１の代わりに、デジタル変換後の合波信号の信号振幅値を取得する第３のモニタ部８４を内蔵し、第３のモニタ部８４のモニタ結果に基づき、局発光の出力パワーを調整する点にある。第３のモニタ部８４は、ＤＳＰ６から復調後の合波信号の信号振幅値、すなわちデジタル変換後の合波信号の信号振幅値を取得する。
【００５２】
コントローラ８２Ｂは、デジタル変換後の合波信号の信号振幅値が第３の振幅閾値未満、かつ、局発光の出力パワーが最大でない場合、局発光の出力パワーを増加する方向に調整する。尚、第３の振幅閾値は、光主信号が安定した信号品質を確保できる許容範囲の下限の信号振幅値である。
【００５３】
コントローラ８２Ｂは、デジタル変換後の合波信号の信号振幅値が第４の振幅閾値を超え、かつ、局発光の出力パワーが最小でない場合、局発光の出力パワーを減少する方向に調整する。尚、第４の振幅閾値は、光主信号が安定した信号品質を確保できる許容範囲の上限の信号振幅値である。
【００５４】
次に実施例３の受信装置の動作について説明する。図８は、第３の局発光制御処理に関わる受信装置内のコントローラ８２Ｂの処理動作の一例を示すフローチャートである。
【００５５】
コントローラ８２Ｂは、光主信号を受信したか否かを判定する（ステップＳ５１）。コントローラ８２Ｂは、光主信号を受信した場合（ステップＳ５１肯定）、局発光の出力パワーを初期値に設定すべく、局発光源２の駆動回路２１を制御する（ステップＳ５２）。
【００５６】
コントローラ８２Ｂは、第３のモニタ部８４を通じてデジタル変換後の合波信号の信号振幅値を取得する（ステップＳ５３）。コントローラ８２Ｂは、ＦＥＣ７１から訂正不可エラーを検出したか否かを判定する（ステップＳ５４）。コントローラ８２Ｂは、訂正不可エラーを検出した場合（ステップＳ５４肯定）、図８に示す処理動作を終了する。
【００５７】
コントローラ８２Ｂは、訂正不可エラーを検出しなかった場合（ステップＳ５４否定）、ステップＳ５３で取得したデジタル変換後の合波信号の信号振幅値が第３の振幅閾値未満であるか否かを判定する（ステップＳ５５）。コントローラ８２Ｂは、デジタル変換後の合波信号の信号振幅値が第３の振幅閾値未満の場合（ステップＳ５５肯定）、局発光の出力パワーが最大であるか否かを判定する（ステップＳ５６）。
【００５８】
コントローラ８２Ｂは、局発光の出力パワーが最大でない場合（ステップＳ５６否定）、局発光の出力パワーを増やすべく、局発光源２内の駆動回路２１を制御する（ステップＳ５７）。つまり、局発光の出力パワーを増やすことで、光主信号の出力パワーが信号品質マージン内に収まることになる。その結果、安定した光主信号の信号品質を改善できる。そして、コントローラ８２Ｂは、局発光源２内の駆動回路２１を制御後に、訂正不可エラーを検出したか否かを判定する（ステップＳ５８）。
【００５９】
コントローラ８２Ｂは、訂正不可エラーを検出した場合（ステップＳ５８肯定）、局発光の出力パワーを初期値に設定すべく、局発光源２内の駆動回路２１を制御し（ステップＳ５９）、図８に示す処理動作を終了する。コントローラ８２Ｂは、訂正不可エラーを検出しなかった場合（ステップＳ５８否定）、図８に示す処理動作を終了する。コントローラ８２Ｂは、局発光の出力パワーが最大の場合（ステップＳ５６肯定）、訂正不可エラーを検出したか否かを判定すべく、ステップＳ５８に移行する。
【００６０】
コントローラ８２Ｂは、デジタル変換後の合波信号の信号振幅値が第３の振幅閾値未満でない場合（ステップＳ５５否定）、デジタル変換後の合波信号の信号振幅値が第４の振幅閾値を超えているか否かを判定する（ステップＳ６０）。コントローラ８２Ｂは、デジタル変換後の合波信号の信号振幅値が第４の振幅閾値を超えている場合（ステップＳ６０肯定）、局発光の出力パワーが最小であるか否かを判定する（ステップＳ６１）。
【００６１】
コントローラ８２Ｂは、局発光の出力パワーが最小でない場合（ステップＳ６１否定）、局発光の出力パワーを減らすべく、局発光源２内の駆動回路２１を制御する（ステップＳ６２）。つまり、局発光の出力パワーを減らすことで、光主信号の出力パワーが信号品質マージン内に収まることになる。その結果、安定した光主信号の信号品質を確保しながら、局発光に要する無駄な消費電力を抑制できる。そして、コントローラ８２Ｂは、局発光源２内の駆動回路２１を制御後に、訂正不可エラーを検出したか否かを判定すべく、ステップＳ５８に移行する。
【００６２】
コントローラ８２Ｂは、局発光の出力パワーが最小の場合（ステップＳ６１肯定）、訂正不可エラーを検出したか否かを判定すべく、ステップＳ５８に移行する。コントローラ８２Ｂは、デジタル変換後の合波信号の信号振幅値が第４の振幅閾値を超えていない場合（ステップＳ６０否定）、図８に示す処理動作を終了する。また、コントローラ８２Ｂは、光主信号を受信しなかった場合（ステップＳ５１否定）、図８に示す処理動作を終了する。
【００６３】
図８に示す第３の局発光制御処理を実行するコントローラ８２Ｂは、デジタル変換後の合波信号の信号振幅値が第３の振幅閾値未満、かつ、局発光の出力パワーが最大でない場合、局発光の出力パワーを増やす。その結果、光主信号の出力パワーを信号品質マージン内に収めることで、安定した光主信号の信号品質を確保できる。
【００６４】
コントローラ８２Ｂは、デジタル変換後の合波信号の信号振幅値が第４の振幅閾値を超え、かつ、局発光の出力パワーが最小でない場合、局発光の出力パワーを減らす。その結果、光主信号の出力パワーを信号品質マージン内に収めることで、安定した光主信号の信号品質を確保しながら、局発光に要する無駄な消費電力を抑制できる。
【００６５】
実施例３の受信装置１Ｂでは、第３のモニタ部８４で取得したデジタル変換後の合波信号の信号振幅値に基づき、局発光の出力パワーを調整すべく、駆動回路２１を制御する。例えば、受信装置１Ｂは、デジタル変換後の合波信号の信号振幅値が第４の振幅閾値を超えた場合、局発光の出力パワーを減らすべく、駆動回路２１を制御する。その結果、安定した光主信号の信号品質を確保しながら、局発光に要する無駄な消費電力を抑制できる。更に、最終的にデジタル変換後の振幅情報を用いて局発光の出力パワーを制御するため、内部処理時のエラーが発生し難くなる。
【００６６】
尚、上記実施例３の受信装置１Ｂでは、デジタル変換後の合波信号の信号振幅値に基づき、局発光の出力パワーを制御した。しかしながら、受信装置１Ｂは、実施例１の受信装置１に関わる訂正ビット数および/またはエラーレートに基づく局発光の出力パワーの制御を併用し、デジタル変換後の合波信号の信号振幅値に基づく局発光の出力パワーを制御するようにしても良い。つまり、デジタル変換後の合波信号の信号振幅値を用いて局発光の出力パワーを事前に調整するため、その後の訂正ビット数および/またはエラーレートを用いて局発光の出力パワーを調整する際の処理を速やかに実行できる。
【００６７】
また、受信装置１Ｂは、訂正ビット数および/またはエラーレートに基づく局発光の出力パワーの制御を併用した場合、デジタル変換後の合波信号の信号振幅値から局発光の出力パワーを予測しても良い。この場合、受信装置１Ｂは、その予測結果及び訂正ビット数および/またはエラーレートに基づき、局発光の出力パワーを調整すべく、駆動回路２１を制御する。その結果、訂正ビット数および/またはエラーレートを用いて局発光の出力パワーを調整する際の処理を速やかに実行できる。
【００６８】
尚、上記実施例１の受信装置１は、訂正ビット数および/またはエラーレートに基づき、局発光の出力パワーを制御したが、訂正ビット数および/またはエラーレートに限定されるものではなく、例えば、受信した光主信号の出力パワーを用いても良く、この場合の実施の形態につき、実施例４として以下に説明する。図９は、実施例４の受信装置１Ｃの機能構成の一例を示す説明図である。尚、実施例１の受信装置１と同一の構成には同一符号を付すことで、その重複する構成及び動作の説明については省略する。
【実施例４】
【００６９】
図９に示す受信装置１Ｃと図１に示す受信装置１とが異なるところは、第１のモニタ部８１の代わりに、ＴＡＰ−ＰＤ９１及び第４のモニタ部８５を有する点にある。ＴＡＰ−ＰＤ９１は、合波部３１の前段に配置し、光主信号を受信した場合に合波部３１及び第４のモニタ部８５に光分岐する。第４のモニタ部８５は、ＴＡＰ−ＰＤ９１で光分岐した光主信号の出力パワーを取得する。コントローラ８２Ｃは、第４のモニタ部８５のモニタ結果に基づき、局発光の出力パワーを調整する。
【００７０】
コントローラ８２Ｃは、受信した光主信号の出力パワーと局発光の出力パワーとを積算し、その積算値が第１の積算閾値未満、かつ、局発光の出力パワーが最大でない場合、局発光の出力パワーを増加する方向に調整する。尚、第１の積算閾値は、光主信号が安定した信号品質を確保できる許容範囲の下限の信号振幅値である。
【００７１】
コントローラ８２Ｃは、積算値が第２の積算閾値を超え、かつ、局発光の出力パワーが最小でない場合、局発光の出力パワーを減少する方向に調整する。尚、第２の積算閾値は、光主信号が安定した信号品質を確保できる許容範囲の上限の信号振幅値である。
【００７２】
次に実施例４の受信装置１Ｃの動作について説明する。図１０は、第４の局発光制御処理に関わる受信装置１Ｃ内のコントローラ８２Ｃの処理動作の一例を示すフローチャートである。
【００７３】
コントローラ８２Ｃは、光主信号を受信したか否かを判定する（ステップＳ７１）。コントローラ８２Ｃは、光主信号を受信した場合（ステップＳ７１肯定）、局発光の出力パワーを初期値に設定すべく、局発光源２内の駆動回路２１を制御する（ステップＳ７２）。
【００７４】
コントローラ８２Ｃは、第４のモニタ部８５を通じてＴＡＰ−ＰＤ９１からの光主信号の出力パワーを取得する（ステップＳ７３）。コントローラ８２Ｃは、ＦＥＣ７１からの訂正不可エラーを検出したか否かを判定する（ステップＳ７４）。コントローラ８２Ｃは、訂正不可エラーを検出した場合（ステップＳ７４肯定）、図１０に示す処理動作を終了する。
【００７５】
コントローラ８２Ｃは、訂正不可エラーを検出しなかった場合（ステップＳ７４否定）、ステップＳ７３で取得した光主信号の出力パワーと局発光の出力パワーとの積算値を算出する（ステップＳ７５）。コントローラ８２Ｃは、積算値が第１の積算閾値未満であるか否かを判定する（ステップＳ７６）。コントローラ８２Ｃは、積算値が第１の積算閾値未満の場合（ステップＳ７６肯定）、局発光の出力パワーが最大であるか否かを判定する（ステップＳ７７）。
【００７６】
コントローラ８２Ｃは、局発光の出力パワーが最大でない場合（ステップＳ７７否定）、局発光の出力パワーを増やすべく、局発光源２内の駆動回路２１を制御する（ステップＳ７８）。つまり、局発光の出力パワーを増やすことで、光主信号の出力パワーが信号品質マージン内に収まることになる。その結果、安定した光主信号の信号品質を改善できる。そして、コントローラ８２Ｃは、局発光源２内の駆動回路２１を制御後に、訂正不可エラーを検出したか否かを判定する（ステップＳ７９）。
【００７７】
コントローラ８２Ｃは、訂正不可エラーを検出した場合（ステップＳ７９肯定）、局発光の出力パワーを初期値に設定すべく、局発光源２内の駆動回路２１を制御し（ステップＳ８０）、図１０に示す処理動作を終了する。コントローラ８２Ｃは、訂正不可エラーを検出しなかった場合（ステップＳ７９否定）、図１０に示す処理動作を終了する。コントローラ８２Ｃは、局発光の出力パワーが最大の場合（ステップＳ７７肯定）、訂正不可エラーを検出したか否かを判定すべく、ステップＳ７９に移行する。
【００７８】
コントローラ８２Ｃは、積算値が第１の積算閾値未満でない場合（ステップＳ７６否定）、積算値が第２の積算閾値を超えているか否かを判定する（ステップＳ８１）。コントローラ８２Ｃは、積算値が第２の積算閾値を超えている場合（ステップＳ８１肯定）、局発光の出力パワーが最小であるか否かを判定する（ステップＳ８２）。
【００７９】
コントローラ８２Ｃは、局発光の出力パワーが最小でない場合（ステップＳ８２否定）、局発光の出力パワーを減らすべく、局発光源２内の駆動回路２１を制御する（ステップＳ８３）。つまり、局発光の出力パワーを減らすことで、光主信号の出力パワーが信号品質マージン内に収まることになる。その結果、安定した光主信号の信号品質を確保しながら、局発光に要する無駄な消費電力を抑制できる。そして、コントローラ８２Ｃは、局発光源２内の駆動回路２１を制御後に、訂正不可エラーを検出したか否かを判定すべく、ステップＳ７９に移行する。
【００８０】
コントローラ８２Ｃは、局発光の出力パワーが最小の場合（ステップＳ８２肯定）、訂正不可エラーを検出したか否かを判定すべく、ステップＳ７９に移行する。コントローラ８２Ｃは、積算値が第２の積算閾値を超えていない場合（ステップＳ８１否定）、図１０に示す処理動作を終了する。また、コントローラ８２Ｃは、光主信号を受信しなかった場合（ステップＳ７１否定）、図１０に示す処理動作を終了する。
【００８１】
図１０に示す第４の局発光制御処理を実行するコントローラ８２Ｃは、光主信号の出力パワーと局発光の出力パワーとを積算する積算値が第１の積算閾値未満、かつ、局発光の出力パワーが最大でない場合、局発光の出力パワーを増やす。その結果、光主信号の出力パワーを信号品質マージン内に収めることで、安定した光主信号の信号品質を確保できる。
【００８２】
コントローラ８２Ｃは、光主信号の出力パワーと局発光の出力パワーとを積算する積算値が第２の積算閾値を超え、かつ、局発光の出力パワーが最小でない場合、局発光の出力パワーを減らす。その結果、光主信号の出力パワーを信号品質マージン内に収めることで、安定した光主信号の信号品質を確保しながら、局発光に要する無駄な消費電力を抑制できる。
【００８３】
実施例４の受信装置１Ｃでは、第４のモニタ部８５で取得した光主信号の出力パワーと局発光の出力パワーとの積算値に基づき、局発光の出力パワーを調整すべく、駆動回路２１を制御する。例えば、受信装置１Ｃは、積算値が第２の積算閾値を超えた場合、局発光の出力パワーを減らすべく、駆動回路２１を制御する。その結果、安定した光主信号の信号品質を確保しながら、局発光に要する無駄な消費電力を抑制できる。
【００８４】
尚、上記実施例４の受信装置１Ｃでは、光主信号の出力パワーと局発光の出力パワーとを積算した積算値に基づき、局発光の出力パワーを制御した。しかしながら、受信装置１Ｃは、実施例１の受信装置１に関わる訂正ビット数および/またはエラーレートに基づく局発光の出力パワーの制御を併用し、積算値に基づく局発光の出力パワーを制御するようにしても良い。つまり、積算値を用いて局発光の出力パワーを事前に調整するため、その後の訂正ビット数および/またはエラーレートを用いて局発光の出力パワーを調整する際の処理を速やかに実行できる。
【００８５】
また、受信装置１Ｃは、訂正ビット数および/またはエラーレートに基づく局発光の出力パワーの制御を併用した場合、光主信号の出力パワーと局発光の出力パワーとの積算値から局発光の出力パワーを予測しても良い。この場合、受信装置１Ｃは、その予測結果及び訂正ビット数および/またはエラーレートに基づき、局発光の出力パワーを調整すべく、駆動回路２１を制御する。その結果、訂正ビット数および/またはエラーレートを用いて局発光の出力パワーを調整する際の処理を速やかに実行できる。
【００８６】
尚、上記実施例１の受信装置１は、訂正ビット数および/またはエラーレートに基づき、局発光の出力パワーを制御したが、訂正ビット数および/またはエラーレートに限定されるものではなく、例えば、デジタル変換前後の合波信号の信号振幅値を使用しても良い。この場合の実施の形態につき、実施例５として以下に説明する。図１１は、実施例５の受信装置１Ｄの機能構成の一例を示す説明図である。尚、実施例１の受信装置１と同一の構成には同一符号を付すことで、その重複する構成及び動作の説明については省略する。
【実施例５】
【００８７】
図１１に示す受信装置１Ｄと受信装置１とが異なるところは、第１のモニタ部８１に加えて、デジタル変換前の合波信号の信号振幅値を取得する第２のモニタ部８３及びデジタル変換後の合波信号の信号振幅値を取得する第３のモニタ部８４を内蔵した点にある。更に、コントローラ８２Ｄは、第２のモニタ部８３で取得したデジタル変換前の合波信号の信号振幅値が第２の振幅閾値を超え、かつ、局発光の出力パワーが最小でない場合、局発光の出力パワーを減少方向に調整する。尚、第２の振幅閾値は、光主信号が安定した信号品質を確保できる許容範囲の上限の信号振幅値である。
【００８８】
コントローラ８２Ｄは、第３のモニタ部８４で取得したデジタル変換後の合波信号の信号振幅値が第３の振幅閾値未満、かつ、局発光の出力パワーが最大でない場合、局発光の出力パワーを増加方向に調整する。尚、第３の振幅閾値は、光主信号が安定した信号品質を確保できる許容範囲の下限の信号振幅値である。
【００８９】
更に、コントローラ８２Ｄは、第１のモニタ部８１で取得した訂正ビット数および/またはエラーレートが第１の閾値α１を超え、かつ、局発光の出力パワーが最大でない場合、局発光の出力パワーを増加方向に調整する。更に、コントローラ８２Ｄは、取得した訂正ビット数および/またはエラーレートが第２の閾値α２未満、かつ、局発光の出力パワーが最小でない場合、局発光の出力パワーを減少方向に調整する。
【００９０】
次に実施例５の受信装置１Ｄの動作について説明する。図１２及び図１３は、第５の局発光制御処理に関わる受信装置１Ｄ内のコントローラ８２Ｄの処理動作の一例を示すフローチャートである。
【００９１】
図１２においてコントローラ８２Ｄは、光主信号を受信したか否かを判定する（ステップＳ９１）。コントローラ８２Ｄは、光主信号を受信した場合（ステップＳ９１肯定）、局発光の出力パワーを初期値に設定すべく、局発光源２内の駆動回路２１を制御する（ステップＳ９２）。
【００９２】
コントローラ８２Ｄは、訂正ビット数および/またはエラーレートをクリアにし（ステップＳ９３）、第２のモニタ部８３を通じて利得制御部４２からデジタル変換前の合波信号の信号振幅値を取得する（ステップＳ９４）。更に、コントローラ８２Ｄは、第３のモニタ部８４を通じてＤＳＰ６からデジタル変換後の合波信号の信号振幅値を取得する（ステップＳ９５）。コントローラ８２Ｄは、第１のモニタ部８１を通じてＦＥＣ７１から訂正ビット数および/またはエラーレートを取得する（ステップＳ９６）。
【００９３】
コントローラ８２Ｄは、ＦＥＣ７１から訂正不可エラーを検出したか否かを判定する（ステップＳ９７）。コントローラ８２Ｄは、訂正不可エラーを検出した場合（ステップＳ９７肯定）、図１２に示す処理動作を終了する。
【００９４】
コントローラ８２Ｄは、訂正不可エラーを検出しなかった場合（ステップＳ９７否定）、ステップＳ９４で取得したデジタル変換前の合波信号の信号振幅値が第２の振幅閾値を超えているか否かを判定する（ステップＳ９８）。コントローラ８２Ｄは、信号振幅値が第２の振幅閾値を超えている場合（ステップＳ９８肯定）、局発光の出力パワーが最小であるか否かを判定する（ステップＳ９９）。
【００９５】
コントローラ８２Ｄは、局発光の出力パワーが最小でない場合（ステップＳ９９否定）、局発光の出力パワーを減らすべく、局発光源２内の駆動回路２１を制御する（ステップＳ１００）。つまり、局発光の出力パワーを減らすことで、光主信号の出力パワーが信号品質マージン内に収まることになる。その結果、安定した光主信号の信号品質を確保しながら、局発光に要する無駄な消費電力を抑制できる。そして、コントローラ８２Ｄは、局発光源２内の駆動回路２１を制御後に、訂正不可エラーを検出したか否かを判定する（ステップＳ１０１）。
【００９６】
コントローラ８２Ｄは、訂正不可エラーを検出しなかった場合（ステップＳ１０１否定）、ステップＳ９５で取得したデジタル変換後の合波信号の信号振幅値が第３の振幅閾値未満であるか否かを判定する（ステップＳ１０２）。コントローラ８２Ｄは、デジタル変換後の合波信号の信号振幅値が第３の振幅閾値未満の場合（ステップＳ１０２肯定）、局発光の出力パワーが最大であるか否かを判定する（ステップＳ１０３）。
【００９７】
コントローラ８２Ｄは、局発光の出力パワーが最大でない場合（ステップＳ１０３否定）、局発光の出力パワーを増やすべく、局発光源２内の駆動回路２１を制御し（ステップＳ１０４）、図１３に示すＭ１に移行する。つまり、局発光の出力パワーを増やすことで、光主信号の出力パワーが信号品質マージン内に収まることになる。その結果、安定した光主信号の信号品質を改善できる。
【００９８】
コントローラ８２Ｄは、デジタル変換前の合波信号の信号振幅値が第２の振幅閾値を超えていない場合（ステップＳ９８否定）、訂正不可エラーを検出したか否かを判定すべく、ステップＳ１０１に移行する。また、コントローラ８２Ｄは、局発光の出力パワーが最小の場合（ステップＳ９９肯定）、訂正不可エラーを検出したか否かを判定すべく、ステップＳ１０１に移行する。
【００９９】
コントローラ８２Ｄは、デジタル変換後の合波信号の信号振幅値が第３の振幅閾値未満でない場合（ステップＳ１０２否定）、又は、局発光の出力パワーが最大の場合（ステップＳ１０３肯定）、図１３に示すＭ１に移行する。コントローラ８２Ｄは、訂正不可エラーを検出した場合（ステップＳ１０１肯定）、図１３に示すＭ２に移行する。また、コントローラ８２Ｄは、光主信号を受信しなかった場合（ステップＳ９１否定）、図１２に示す処理動作を終了する。
【０１００】
図１３に示すＭ１においてコントローラ８２Ｄは、ＦＥＣ７１から訂正不可エラーを検出したか否かを判定する（ステップＳ１１１）。コントローラ８２Ｄは、訂正不可エラーを検出しなかった場合（ステップＳ１１１否定）、訂正ビット数および/またはエラーレートが第１の閾値α１を超えているか否かを判定する（ステップＳ１１２）。コントローラ８２Ｄは、訂正ビット数および/またはエラーレートが第１の閾値α１を超えている場合（ステップＳ１１２肯定）、局発光の出力パワーが最大であるか否かを判定する（ステップＳ１１３）。
【０１０１】
コントローラ８２Ｄは、局発光の出力パワーが最大でない場合（ステップＳ１１３否定）、局発光の出力パワーを増やすべく、局発光源２内の駆動回路２１を制御する（ステップＳ１１４）。つまり、局発光の出力パワーを増やすことで、光主信号の出力パワーが信号品質マージン内に収まることになる。その結果、安定した光主信号の信号品質を改善できる。そして、コントローラ８２Ｄは、局発光源２内の駆動回路２１を制御後に、訂正不可エラーを検出したか否かを判定する（ステップＳ１１５）。
【０１０２】
コントローラ８２Ｄは、訂正不可エラーを検出した場合（ステップＳ１１５肯定）、局発光の出力パワーを初期値に設定すべく、局発光源２内の駆動回路２１を制御し（ステップＳ１１６）、図１３に示す処理動作を終了する。コントローラ８２Ｄは、訂正不可エラーを検出しなかった場合（ステップＳ１１５否定）、図１３に示す処理動作を終了する。コントローラ８２Ｄは、局発光の出力パワーが最大の場合（ステップＳ１１３肯定）、訂正不可エラーを検出したか否かを判定すべく、ステップＳ１１５に移行する。
【０１０３】
コントローラ８２Ｄは、訂正ビット数および/またはエラーレートが第１の閾値α１を超えていない場合（ステップＳ１１２否定）、訂正ビット数および/またはエラーレートが第２の閾値α２未満であるか否かを判定する（ステップＳ１１７）。コントローラ８２Ｄは、訂正ビット数および/またはエラーレートが第２の閾値α２未満である場合（ステップＳ１１７肯定）、局発光の出力パワーが最小であるか否かを判定する（ステップＳ１１８）。
【０１０４】
コントローラ８２Ｄは、局発光の出力パワーが最小でない場合（ステップＳ１１８否定）、局発光の出力パワーを減らすべく、局発光源２内の駆動回路２１を制御する（ステップＳ１１９）。つまり、局発光の出力パワーを減らすことで、光主信号の出力パワーが信号品質マージン内に収まることになる。その結果、安定した光主信号の信号品質を確保しながら、局発光に要する無駄な消費電力を抑制できる。そして、コントローラ８２Ｄは、局発光源２内の駆動回路２１を制御後に、訂正不可エラーを検出したか否かを判定すべく、ステップＳ１１５に移行する。
【０１０５】
コントローラ８２Ｄは、局発光の出力パワーが最小の場合（ステップＳ１１８肯定）、訂正不可エラーを検出したか否かを判定すべく、ステップＳ１１５に移行する。コントローラ８２Ｄは、訂正ビット数および/またはエラーレートが第２の閾値α２未満でない場合（ステップＳ１１７否定）、図１３に示す処理動作を終了する。
【０１０６】
図１３に示すＭ２においてコントローラ８２Ｄは、局発光の出力パワーを初期値に設定すべく、ステップＳ１１６に移行する。コントローラ８２Ｄは、訂正不可エラーを検出した場合（ステップＳ１１１肯定）、図１３に示すＭ３、すなわち、局発光を初期値に設定すべく、ステップＳ１１６に移行する。
【０１０７】
第５の局発光制御処理を実行するコントローラ８２Ｄは、デジタル変換前の合波信号の信号振幅値が第２の振幅閾値を超え、かつ、局発光の出力パワーが最小でない場合、局発光の出力パワーを減らす。その結果、光主信号の出力パワーを信号品質マージン内に収めることで、安定した光主信号の信号品質を確保しながら、局発光に要する無駄な消費電力を抑制できる。
【０１０８】
コントローラ８２Ｄは、デジタル変換後の合波信号の信号振幅値が第３の振幅閾値未満、かつ、局発光の出力パワーが最大でない場合、局発光の出力パワーを増やす。その結果、光主信号の出力パワーを信号品質マージン内に収めることで、安定した光主信号の信号品質を確保できる。
【０１０９】
コントローラ８２Ｄは、訂正ビット数および/またはエラーレートが第１の閾値α１を超え、かつ、局発光の出力パワーが最大でない場合、局発光の出力パワーを増やす。その結果、光主信号の出力パワーを信号品質マージン内に収めることで、安定した光主信号の信号品質を確保できる。
【０１１０】
コントローラ８２Ｄは、訂正ビット数および/またはエラーレートが第２の閾値α２未満、かつ、局発光の出力パワーが最小でない場合、局発光の出力パワーを減らす。その結果、光主信号の出力パワーを信号品質マージン内に収めることで、安定した光主信号の信号品質を確保しながら、局発光に要する無駄な消費電力を抑制できる。
【０１１１】
実施例５の受信装置１Ｄでは、デジタル変換前の合波信号の信号振幅値が第２の振幅閾値を超え、かつ、局発光の出力パワーが最小でない場合、局発光の出力パワーを減らす。その結果、安定した光主信号の信号品質を確保しながら、局発光に要する無駄な消費電力を抑制できる。
【０１１２】
コントローラ８２Ｄは、デジタル変換後の合波信号の信号振幅値が第３の振幅閾値未満、かつ、局発光の出力パワーが最大でない場合、局発光の出力パワーを増やす。その結果、安定した光主信号の信号品質を確保できる。
【０１１３】
コントローラ８２Ｄは、訂正ビット数および/またはエラーレートが第１の閾値α１を超え、かつ、局発光の出力パワーが最大でない場合、局発光の出力パワーを増やす。その結果、安定した光主信号の信号品質を確保できる。
【０１１４】
コントローラ８２Ｄは、訂正ビット数および/またはエラーレートが第２の閾値α２未満、かつ、局発光の出力パワーが最小でない場合、局発光の出力パワーを減らす。その結果、安定した光主信号の信号品質を確保しながら、局発光に要する無駄な消費電力を抑制できる。
【０１１５】
また、図示した各部の各構成要素は、必ずしも物理的に図示の如く構成されていることを要しない。すなわち、各部の分散・統合の具体的形態は図示のものに限られず、その全部又は一部を、各種の負荷や使用状況等に応じて、任意の単位で機能的又は物理的に分散・統合して構成することができる。
【０１１６】
更に、各装置で行われる各種処理機能は、ＣＰＵ（Central  Processing  Unit）（又はＭＰＵ（Micro  Processing  Unit）、ＭＣＵ（Micro  Controller  Unit）等のマイクロ・コンピュータ）上で、その全部又は任意の一部を実行するようにしても良い。また、各種処理機能は、ＣＰＵ（又はＭＰＵ、ＭＣＵ等のマイクロ・コンピュータ）で解析実行するプログラム上、又はワイヤードロジックによるハードウェア上で、その全部又は任意の一部を実行するようにしても良いことは言うまでもない。
【符号の説明】
【０１１７】
１  受信装置
２  局発光源
３１  合波部
４１  ＯＥ変換部
４２  利得制御部
５  ＡＤＣ
６  ＤＳＰ
８１  第１のモニタ部
８２、８２Ａ、８２Ｂ、８２Ｃ、８２Ｄ  コントローラ
８３  第２のモニタ部
８４  第３のモニタ部
８５  第４のモニタ部
【図１】
2018006836.tif 000003
【図２】
2018006836.tif 000004
【図３】
2018006836.tif 000005
【図４】
2018006836.tif 000006
【図５】
2018006836.tif 000007
【図６】
2018006836.tif 000008
【図７】
2018006836.tif 000009
【図８】
2018006836.tif 000010
【図９】
2018006836.tif 000011
【図１０】
2018006836.tif 000012
【図１１】
2018006836.tif 000013
【図１２】
2018006836.tif 000014
【図１３】
2018006836.tif 000015